(57)【特許請求の範囲】
【請求項１】
ＲＦパルスを印加する複数のチャンネルを有するＲＦコイルを備えたスキャン手段であ
って、前記複数のチャンネルの各々の送信磁場マップを得るための第１のスキャンと、撮
影部位の画像を取得するための第２のスキャンとを実行するスキャン手段と、
前記被検体の体動の情報を含む信号値の時間変化を表す体動信号の各時点における信号
値が、前記被検体の体動が小さいときの信号値であるか否かを判定する判定手段と、
前記判定手段の判定結果に基づいて、前記被検体の体動が小さい間に前記第１のスキャ
ンが実行されるように前記スキャン手段を制御する制御手段と、
前記被検体の体動が小さい間に前記第１のスキャンを実行することにより得られたデー
タに基づいて、前記送信磁場マップを生成するマップ生成手段と、
前記送信磁場マップに基づいて、前記第２のスキャンで使用されるＲＦパルスの波形の
特徴を表す特徴量を求める手段であって、前記特徴量として、ＲＦパルスの波形の帯域幅および長さのうちの少なくとも一方を求める手段と、
を有し、
前記制御手段は、前記第２のスキャンにおいて、前記特徴量を有する波形で表されるＲ
Ｆパルスを含むシーケンスが実行されるように、前記スキャン手段を制御する、磁気共鳴
イメージング装置。
【請求項２】
前記制御手段は、
前記第１のスキャンにおいて、送信磁場の位相情報を得るための複数の第１のシーケン
スを含む第１のシーケンスセットが複数回実行されるとともに、送信磁場の強度情報を得
るための複数の第２のシーケンスを含む第２のシーケンスセットが複数回実行されるよう
に、前記スキャン手段を制御する、請求項１に記載の磁気共鳴イメージング装置。
【請求項３】
前記制御手段は、
前記第１のシーケンスセットごとに、前記ＲＦパルスを印加するために使用するチャン
ネルが変更されるように、前記スキャン手段を制御する、請求項２に記載の磁気共鳴イメージング装置。
【請求項４】
前記制御手段は、
前記第２のシーケンスセットごとに、前記ＲＦパルスを印加するために使用するチャン
ネルが変更されるように、前記スキャン手段を制御する、請求項２又は３に記載の磁気共
鳴イメージング装置。
【請求項５】
前記制御手段は、
一つの第１のシーケンスセットを実行している間、前記第１のシーケンスごとに、前記
ＲＦパルスを印加するために使用するチャンネルが変更されるように、前記スキャン手段
を制御する、請求項２又は３に記載の磁気共鳴イメージング装置。
【請求項６】
前記制御手段は、
一つの第２のシーケンスセットを実行している間、前記第２のシーケンスごとに、前記
ＲＦパルスを印加するために使用するチャンネルが変更されるように、前記スキャン手段
を制御する、請求項２又は４に記載の磁気共鳴イメージング装置。
【請求項７】
前記制御手段は、
被検体の体動が小さい第１の期間に、複数回の前記第１のシーケンスセットと複数回の
前記第２のシーケンスセットとが実行されるように、前記スキャン手段を制御する、請求
項２〜６のうちのいずれか一項に記載の磁気共鳴イメージング装置。
【請求項８】
前記制御手段は、
被検体の体動が小さい第１の期間に、複数回の前記第１のシーケンスセットが実行され、被検体の体動が小さい第２の期間に、複数回の前記第２のシーケンスセットが実行され
るように、前記スキャン手段を制御する、請求項２〜６のうちのいずれか一項に記載の磁
気共鳴イメージング装置。
【請求項９】
前記第１のスキャンは、前記送信磁場マップの他に静磁場マップも得るためのスキャン
である、請求項２〜８のうちのいずれか一項に記載の磁気共鳴イメージング装置。
【請求項１０】
前記制御手段は、
前記第１のスキャンにおいて、第１のエコー時間を有する複数の第３のシーケンスを含
む第３のシーケンスセットと、第２のエコー時間を有する複数の第４のシーケンスを含む
第４のシーケンスセットが実行されるように、前記スキャン手段を制御し、
前記マップ生成手段は、
前記複数の第３のシーケンスにより得られたデータと、前記複数の第４のシーケンスに
より得られたデータとに基づいて、前記静磁場マップを生成し、
前記特徴量を求める手段は、
前記送信磁場マップおよび前記静磁場マップに基づいて、前記第２のスキャンで使用されるＲＦパルスの波形の特徴を表す特徴量を求める、請求項９に記載の磁気共鳴イメージ
ング装置。
【請求項１１】
前記制御手段は、
前記第１のスキャンにおいて、第１のエコー時間を有する第３のシーケンスと第２のエ
コー時間を有する第４のシーケンスとを含む第５のシーケンスセットが複数回実行される
ように、前記スキャン手段を制御し、
前記マップ生成手段は、
前記第３のシーケンスにより得られたデータと、前記第４のシーケンスにより得られた
データとに基づいて、前記静磁場マップを生成し、
前記特徴量を求める手段は、
前記送信磁場マップおよび前記静磁場マップに基づいて、前記第２のスキャンで使用されるＲＦパルスの波形の特徴を表す特徴量を求める、請求項９に記載の磁気共鳴イメージ
ング装置。
【請求項１２】
前記スキャン手段は、
前記第１のスキャンにおいて、前記体動信号の信号値を求めるためのナビゲータシーケ
ンスを実行する、請求項１〜１１のうちのいずれか一項に記載の磁気共鳴イメージング装
置。
【請求項１３】
前記体動信号は呼吸信号である、請求項１〜１２のうちのいずれか一項に記載の磁気共
鳴イメージング装置。
【発明の詳細な説明】
【技術分野】
【０００１】
本発明は、Ｂ１マップを生成する磁気共鳴イメージング装置に関する。
【背景技術】
【０００２】
人体の内部の画像を撮影する装置として磁気共鳴イメージング装置（ＭＲＩ（Magnetic Resonance Imaging）装置）が知られている。ＭＲＩ装置は、磁気共鳴現象を利用して撮影を行うので。放射線による被ばくがないというメリットがあり、病院など、臨床検査を行う様々な施設で使用されている。
【０００３】
病院では、一般的に、１．５Ｔ（Tesla）のＭＲＩ装置が使用されているが、近年、１．５ＴのＭＲＩ装置よりも高い磁場を採用したＭＲＩ装置（例えば、３ＴのＭＲＩ装置）を使用する病院も増えてきている。３ＴのＭＲＩ装置は、１．５ＴのＭＲＩ装置と比較すると、より高分解能の撮影が可能であるというメリットがあり、今後、３ＴのＭＲＩ装置を導入する病院はますます増加することが考えられる。
【０００４】
しかし、３ＴのＭＲＩ装置のような、高磁場を採用したＭＲＩ装置は、均一な励起が難しいという問題や、Ｂ０不均一による信号消失の問題などが課題として挙げられている。これらの問題に対処する方法として、パラレルトランスミット（Parallel Transmit  以下、「pTx」と呼ぶ）という技術が知られている（非特許文献１参照）。
【先行技術文献】
【非特許文献】
【０００５】
【非特許文献１】Van de Moortele PF1, Akgun C, Adriany G, Moeller S, Ritter J, Collins CM, Smith MB, Vaughan JT, Ugurbil K.. B(1) destructive interferences and spatial phase patterns at 7 T with a head transceiver array coil. Magn Reson Med. 2005 Dec;54(6):1503-18.
【発明の概要】
【発明が解決しようとする課題】
【０００６】
pTxは、撮影に適したＲＦパルスの波形を求める技術である。pTxを使用した撮影方法の一例として、送信磁場（Ｂ１）および静磁場（Ｂ０）の位相情報を利用した撮影方法がある。この撮影方法では、撮影部位の画像を得るための本スキャンの前に、送信磁場および静磁場の位相情報を得るためのキャリブレーションスキャンが実行される。そして、キャリブレーションスキャンにより得られたデータに基づいてＢ１マップおよびＢ０マップが生成される。Ｂ１マップおよびＢ０マップを生成した後、Ｂ１マップおよびＢ０マップに基づいて、本スキャンで使用されるＲＦパルスの波形が求められる。pTxの技術を用いることにより、高磁場を採用したＭＲＩ装置であっても、均一な励起を実現することができ、更に、Ｂ０不均一により信号消失を補正することもできる。
【０００７】
しかし、高磁場を採用したＭＲＩ装置では、被検体の呼吸等による体動がＢ０に与える影響が大きく、位相の変動が大きくなる。したがって、高品質なＢ１マップおよびＢ０マップを得ることが難しいという問題がある。この場合、キャリブレーションスキャンにより求めたＢ１マップおよびＢ０マップに基づいて、本スキャンで使用されるＲＦパルスの波形を求めても、本スキャンにおいて、ＲＦパルスが予想とは異なる物理的挙動を示してしまい、期待された画質が得られないことがある。したがって、高磁場を採用したＭＲＩ装置であっても、高品質な画像の取得に適したＲＦパルスの波形を求めることができる技術が望まれている。
【課題を解決するための手段】
【０００８】
本発明の一観点は、ＲＦパルスを印加する複数のチャンネルを有するＲＦコイルを備えたスキャン手段であって、前記複数のチャンネルの各々の送信磁場マップを得るための第１のスキャンと、撮影部位の画像を取得するための第２のスキャンとを実行するスキャン手段と、
前記被検体の体動の情報を含む信号値の時間変化を表す第１の体動信号の各時点における信号値が、前記被検体の体動が小さいときの信号値であるか否かを判定する判定手段と、
前記判定手段の判定結果に基づいて、前記被検体の体動が小さい間に前記第１のスキャンが実行されるように前記スキャン手段を制御する制御手段と、
前記被検体の体動が小さい間に前記第１のスキャンを実行することにより得られたデータに基づいて、前記送信磁場マップを生成するマップ生成手段と、
前記送信磁場マップに基づいて、前記第２のスキャンで使用されるＲＦパルスの波形の特徴を表す特徴量を求める手段と、
を有し、
前記制御手段は、前記第２のスキャンにおいて、前記特徴量を有する波形で表されるＲＦパルスを含むシーケンスが実行されるように、前記スキャン手段を制御する、磁気共鳴イメージング装置である。
【発明の効果】
【０００９】
被検体の体動が小さい間に第１のスキャンを実行し、第１のスキャンを実行することにより得られたデータに基づいて、送信磁場マップを生成するので、体動の影響が軽減された送信磁場マップを得ることができる。したがって、高品質な画像の取得に適したＲＦパルスの波形を求めることができる。
【図面の簡単な説明】
【００１０】
【図１】本発明の第１の形態のＭＲＩ装置の概略図である。
【図２】図１に示すマグネット２のＡ−Ａ断面図である。
【図３】処理装置１０が実現する手段の説明図である。
【図４】第１の形態において実行されるスキャンの説明図である。
【図５】キャリブレーションスキャンＣＳの実行時に励起されるスライスＳＬを概略的に示す図である。
【図６】Ｂ１位相スキャンセグメントＣＳ１の説明図である。
【図７】シーケンスセットＡｉの説明図である。
【図８】Ｂ１強度スキャンセグメントＣＳ２の説明図である。
【図９】シーケンスセットＢｉの説明図である。
【図１０】Ｂ０スキャンセグメントＣＳ３の説明図である。
【図１１】シーケンスセットＣ１の説明図である。
【図１２】シーケンスセットＣ２の説明図である。
【図１３】チャンネル数ｎがｎ＝２の場合のＲＦコイル２４を概略的に示す図である。
【図１４】ＲＦコイル２４のチャンネル数ｎが２チャンネルの場合のキャリブレーションスキャンＣＳの説明図である。
【図１５】キャリブレーションスキャンＣＳおよび本スキャンＭＳを実行するときのフローを示す図である。
【図１６】呼吸信号Ｓｂ１を示す図である。
【図１７】ウィンドウＷを示す図である。
【図１８】キャリブレーションスキャンＣＳの説明図である。
【図１９】キャリブレーションスキャンＣＳのシーケンスセットごとに得られたデータを概略的に示す図である。
【図２０】Ｂ１マップおよびＢ０マップの生成方法の説明図である。
【図２１】第２の形態のＭＲＩ装置の概略図である。
【図２２】送信コイル装置１５の説明図である。
【図２３】第３の形態におけるキャリブレーションスキャンＣＳの実行方法の説明図である。
【図２４】Ｂ１マップおよびＢ０マップの生成方法の説明図である。
【図２５】Ｂ１位相スキャンセグメントＣＳ１の説明図である。
【図２６】シーケンスセットＪｉの説明図である。
【図２７】Ｂ１強度スキャンセグメントＣＳ２の説明図である。
【図２８】シーケンスセットＫｉの説明図である。
【図２９】Ｂ０スキャンセグメントＣＳ３の説明図である。
【図３０】シーケンスセットＬｉの説明図である。
【図３１】ナビゲータシーケンスを用いる場合のフローを示す図である。
【図３２】ナビゲータ領域ＲＮを概略的に示す図である。
【図３３】呼吸信号を求めるときの説明図である。
【図３４】ウィンドウＷを示す図である。
【図３５】キャリブレーションスキャンＣＳの説明図である。
【図３６】キャリブレーションスキャンＣＳの説明図である。
【発明を実施するための形態】
【００１１】
以下、発明を実施するための形態について説明するが、本発明は、以下の形態に限定されることはない。
【００１２】
（１）第１の形態
図１は、本発明の第１の形態のＭＲＩ装置の概略図であり、図２は、図１に示すマグネット２のＡ−Ａ断面の概略図である。
ＭＲＩ装置１００は、マグネット２、テーブル３、受信コイル装置４、ベローズ５などを有している。
【００１３】
マグネット２は、被検体１４が収容される収容空間２１を有している。また、マグネット２は、超伝導コイル２２と、勾配コイル２３と、ＲＦコイル２４とを有している。超伝導コイル２２は静磁場を印加し、勾配コイル２３は勾配パルスを印加し、ＲＦコイル２４はＲＦパルスを印加する。尚、超伝導コイル２２の代わりに、永久磁石を用いてもよい。ＲＦコイル２４は、図２に示すように、ＲＦパルスを印加するためのｎ個のチャンネルＣＨ１〜ＣＨｎを有している。尚、図２では、説明の便宜上、ＲＦコイル２４以外のコイルは図示省略されている。
図１に戻って説明を続ける。
【００１４】
テーブル３は、被検体１４を搬送するためのクレードル３ａを有している。クレードル３ａによって、被検体１４は収容空間２１に搬送される。
【００１５】
受信コイル装置４は、被検体１４の撮影部位（本形態では、頭部）に取り付けられている。受信コイル装置４は、被検体１４からの磁気共鳴信号を受信する。
ベローズ５は、被検体の呼吸情報を検出する。
【００１６】
ＭＲＩ装置１は、更に、制御部６、送信器７、勾配磁場電源８、受信器９、処理装置１０、記憶部１１、操作部１２、および表示部１３などを有している。
【００１７】
制御部６（制御手段に相当する）は、処理装置１０から、シーケンスで使用されるＲＦパルスおよび勾配パルスの波形情報や印加タイミングなどを含むデータを受け取る。そして、制御部６は、ＲＦパルスのデータに基づいて送信器７を制御し、勾配パルスのデータに基づいて勾配磁場電源８を制御する。また、制御部６は、クレードル３ａの移動の制御なども行う。尚、図１では、制御部６が、送信器７、勾配磁場電源８、クレードル３ａなどの制御を行っているが、送信器７、勾配磁場電源８、クレードル３ａなどの制御を複数の制御部で行ってもよい。例えば、送信器７および勾配磁場電源８を制御する制御部と、クレードル３ａを制御する制御部とを別々に設けてもよい。
【００１８】
送信器７は、制御部６から受け取ったデータに基づいて、ＲＦコイル２４に電流を供給する。
【００１９】
勾配磁場電源８は、制御部６から受け取ったデータに基づいて、勾配コイル２３に電流を供給する。
【００２０】
受信器９は、受信コイル装置４で受信された磁気共鳴信号に対して、検波などの処理を行い、処理装置１０に出力する。尚、マグネット２、受信コイル装置４、送信器７、勾配磁場電源８、受信器９を合わせたものが、スキャン手段に相当する。
【００２１】
記憶部１１には、処理装置１０により実行されるプログラムなどが記憶されている。尚、記憶部１１は、ハードディスク、ＣＤ−ＲＯＭなどの非一過性の記憶媒体であってもよい。処理装置１０は、記憶部１１に記憶されているプログラムを読み出し、プログラムに記述されている処理を実行するプロセッサとして動作する。処理装置１０は、プログラムに記述されている処理を実行することにより、種々の手段を実現する。図３は、処理装置１０が実現する手段の説明図である。
【００２２】
呼吸信号生成手段１０１は被検体の呼吸信号を生成する。
ウィンドウ設定手段１０２は、呼吸信号に基づいて後述するウィンドウＷ（図１７参照）を設定する。
判定手段１０３は、呼吸信号の信号値が、被検体の体動が小さいときの信号値であるか否かを判定する。
マップ生成手段１０４はＢ１マップおよびＢ０マップを生成する。
計算手段１０５はＲＦパルスの特徴量を計算する。計算手段１０５は、特徴量を求める手段に相当する。
【００２３】
ＭＲＩ装置１は、処理装置１０を含むコンピュータを備えている。処理装置１０は、記憶部１１に記憶されているプログラムを読み出すことにより、呼吸信号生成手段１０１〜計算手段１０５などを実現する。尚、処理装置１０は、一つのプロセッサで呼吸信号生成手段１０１〜計算手段１０５を実現してもよいし、２つ以上のプロセッサで、呼吸信号生成手段１０１〜計算手段１０５を実現してもよい。また、処理装置１０が実行するプログラムは、一つの記憶部に記憶させておいてもよいし、複数の記憶部に分けて記憶させておいてもよい。
図１に戻って説明を続ける。
【００２４】
操作部１２は、オペレータにより操作され、種々の情報を制御部６や処理装置１０などに入力する。表示部１３は種々の情報を表示する。
ＭＲＩ装置１は、上記のように構成されている。
【００２５】
図４は、第１の形態において実行されるスキャンの説明図である。
第１の形態では、キャリブレーションスキャンＣＳおよび本スキャンＭＳが実行される。
【００２６】
キャリブレーションスキャンＣＳは、Ｂ１マップおよびＢ０マップを得るためのスキャンである。本スキャンＭＳは、撮影部位（例えば、頭部）の画像を取得するためのスキャンである。
先ず、キャリブレーションスキャンＣＳについて説明する。
【００２７】
図５は、キャリブレーションスキャンＣＳの説明図である。
第１の形態では、キャリブレーションスキャンＣＳにおいて、被検体の頭部を横切るスライスＳＬが励起され、スライスＳＬからデータが収集される。そして、スライスＳＬから収集されたデータに基づいて、Ｂ１マップおよびＢ０マップが生成される。
【００２８】
第１の形態では、キャリブレーションスキャンＣＳは、以下の３つのスキャンセグメント、即ち、Ｂ１位相スキャンセグメントＣＳ１と、Ｂ１強度スキャンセグメントＣＳ２と、Ｂ０スキャンセグメントＣＳ３とを有している。図５において、キャリブレーションスキャンＣＳのスキャン時間は符号「ＴＳ」で示されている。また、スキャンセグメントＣＳ１、ＣＳ２、およびＣＳ３のスキャン時間は、それぞれ、符号「ＴＳ１」、「ＴＳ２」、および「ＴＳ３」で示されている。したがって、ＴＳ＝ＴＳ１＋ＴＳ２＋ＴＳ３となる。
【００２９】
次に、Ｂ１位相スキャンセグメントＣＳ１、Ｂ１強度スキャンセグメントＣＳ２、およびＢ０スキャンセグメントＣＳ３について順に説明する。
【００３０】
（１）Ｂ１位相スキャンセグメントＣＳ１について
図６は、Ｂ１位相スキャンセグメントＣＳ１の説明図である。
Ｂ１位相スキャンセグメントＣＳ１は、ＲＦコイル２４のｎ個のチャンネルＣＨ１〜ＣＨｎの各々により発生する送信磁場の位相を表す位相情報を得るために実行されるスキャンである。Ｂ１位相スキャンセグメントＣＳ１では、ｎ個のシーケンスセットＡ１〜Ａｎが実行される。以下に、シーケンスセットＡ１〜Ａｎについて、図７を参照しながら説明する。
【００３１】
図７は、シーケンスセットＡ１〜Ａｎのうちのｉ番目のシーケンスセットＡｉ（ｉは１〜ｎの整数）の説明図である。
【００３２】
シーケンスセットＡｉは、ｍ個のシーケンスＰｉ１〜Ｐｉｍを有している。図７では、シーケンスＰｉ１〜Ｐｉｍの一例として、ＧＲＥ法を用いたシーケンスが示されている。シーケンスＰｉ１の左側には、符号「ＲＦ」、「ＧＳＳ」、「ＧＦＥ」、および「ＧＰＥ」が示されている。符号「ＲＦ」はＲＦパルスの波形を表している。また、符号「ＧＳＳ」はスライス選択方向ＳＳに印加される各勾配パルスの波形を表しており、符号「ＧＦＥ」は周波数エンコード方向ＦＥに印加される各勾配パルスの波形を表しており、符号「ＧＰＥ」は、位相エンコード方向ＰＥに印加される各勾配パルスの波形を表している。シーケンスＰｉ１〜Ｐｉｍの各々は、スライスＳＬ（図５参照）を励起し、スライスＳＬのデータを取得するためのシーケンスである。シーケンスＰｉ１〜Ｐｉｍは、位相エンコード方向ＰＥに印加される勾配パルスの波形ＧＰＥが異なっている点を除いて、同じシーケンスチャートで表される。図７では、シーケンスＰｉ１〜Ｐｉｍの位相エンコード方向ＰＥに印加される各勾配パルスが、符号「ＧＰＥＡ」で示されている。また、勾配パルスＧＰＥＡの磁場強度Ｇは、Ｇ＝Ｇ１〜Ｇｍで示されている。磁場強度Ｇ＝Ｇ１〜Ｇｍは、ｋ空間のデータがセントリックオーダーの順序で収集されるように設定されている。したがって、シーケンスＰｉ１では、勾配パルスＧＰＥＡの磁場強度Ｇ＝Ｇ１は、Ｇ１＝０に設定されている（つまり、シーケンスＰｉ１では、位相エンコード方向ＰＥに勾配パルスＧＰＥＡは印加されていない）。ｍは、シーケンスセットＡｉにおける位相エンコード方向ＰＥのステップ数を表している。シーケンスセットＡｉを実行する場合、ＲＦコイル２３のｎ個のチャンネルＣＨ１〜ＣＨｎのうちのｉ番目のチャンネルＣＨｉがＲＦパルスを印加し、勾配コイル２３が各勾配パルスを印加する。
【００３３】
図６に戻って説明を続ける。
Ｂ１位相スキャンセグメントＣＳ１では、上記のように構成されたシーケンスセットＡｉがｎ回実行される。
例えば、ｉ＝１、即ち、シーケンスセットＡ１を実行する場合、複数のチャンネルＣＨ１〜ＣＨｎのうち、１つのチャンネルＣＨ１が選択され、この選択されたチャンネルＣＨ１がＲＦパルスを印加する。ｉ＝２、即ち、シーケンスセットＡ２を実行する場合、複数のチャンネルＣＨ１〜ＣＨｎのうち、１つのチャンネルＣＨ２が選択され、この選択されたチャンネルＣＨ２がＲＦパルスを印加する。以下同様に、シーケンスセットＡｉを実行する場合、複数のチャンネルＣＨ１〜ＣＨｎのうち、１つのチャンネルＣＨｉが選択され、この選択されたチャンネルＣＨｉがＲＦパルスを印加する。ｉ＝ｎ、即ち、シーケンスセットＡｎを実行する場合、複数のチャンネルＣＨ１〜ＣＨｎのうち、１つのチャンネルＣＨｎが選択され、この選択されたチャンネルＣＨｎがＲＦパルスを印加する。
【００３４】
Ｂ１位相スキャンセグメントＣＳ１のシーケンスセットＡ１〜Ａｎが実行された後、Ｂ１強度スキャンセグメントＣＳ２に移行する。
【００３５】
（２）Ｂ１強度スキャンセグメントＣＳ２について
図８は、Ｂ１強度スキャンセグメントＣＳ２の説明図である。
Ｂ１強度スキャンセグメントＣＳ２は、ＲＦコイル２４のｎ個のチャンネルＣＨ１〜ＣＨｎの各々により発生する送信磁場の強度を表す強度情報を得るために実行されるスキャンである。Ｂ１強度スキャンセグメントＣＳ２では、ｎ個のシーケンスセットＢ１〜Ｂｎが実行される。以下に、シーケンスセットＢ１〜Ｂｎについて、図９を参照しながら説明する。
【００３６】
図９は、シーケンスセットＢ１〜Ｂｎのうちのｉ番目のシーケンスセットＢｉ（ｉは１〜ｎの整数）の説明図である。
シーケンスセットＢｉは、ｍ個のシーケンスＱｉ１〜Ｑｉｍを有している。図９に、シーケンスＱｉ１〜Ｑｉｍの一例として、ＧＲＥ法にＭＴ（Magnetization Transfer）パルスを利用したBloch-Siegert法のシーケンスが示されている。シーケンスＱｉ１〜Ｑｉｍは、スライスＳＬ（図５参照）を励起し、スライスＳＬのデータを取得するためのシーケンスである。シーケンスＱｉ１〜Ｑｉｍは、位相エンコード方向ＰＥに印加される勾配パルスの波形ＧＰＥが異なっている点を除いて、同じシーケンスチャートで表される。図９では、シーケンスＱｉ１〜Ｑｉｍの位相エンコード方向ＰＥに印加される各勾配パルスが、符号「ＧＰＥＢ」で示されている。また、勾配パルスＧＰＥＢの磁場強度Ｇを、Ｇ＝Ｇ１〜Ｇｍで示してある。磁場強度Ｇ＝Ｇ１〜Ｇｍは、ｋ空間のデータがセントリックオーダーの順序で収集されるように設定されている。したがって、シーケンスＱｉ１では、勾配パルスＧＰＥＢの磁場強度Ｇ＝Ｇ１は、Ｇ１＝０に設定されている（つまり、シーケンスＱｉ１では、位相エンコード方向ＰＥに勾配パルスＧＰＥＢは印加されていない）。ｍは、シーケンスセットＢｉにおける位相エンコード方向ＰＥのステップ数を表している。シーケンスセットＢｉを実行する場合、ＲＦコイル２３のｎ個のチャンネルＣＨ１〜ＣＨｎのうちのｉ番目のチャンネルＣＨｉがＲＦパルスを印加し、勾配コイル２３が各勾配パルスを印加する。
【００３７】
図８に戻って説明を続ける。
Ｂ１強度スキャンセグメントＣＳ２では、上記のように構成されたシーケンスセットＢｉがｎ回実行される。
例えば、ｉ＝１、即ち、シーケンスセットＢ１を実行する場合、複数のチャンネルＣＨ１〜ＣＨｎのうち、１つのチャンネルＣＨ１が選択され、この選択されたチャンネルＣＨ１がＲＦパルスを印加する。ｉ＝２、即ち、シーケンスセットＢ２を実行する場合、複数のチャンネルＣＨ１〜ＣＨｎのうち、１つのチャンネルＣＨ２が選択され、この選択されたチャンネルＣＨ２がＲＦパルスを印加する。以下同様に、シーケンスセットＢｉを実行する場合、複数のチャンネルＣＨ１〜ＣＨｎのうち、１つのチャンネルＣＨｉが選択され、この選択されたチャンネルＣＨｉがＲＦパルスを印加する。ｉ＝ｎ、即ち、シーケンスセットＢｎを実行する場合、複数のチャンネルＣＨ１〜ＣＨｎのうち、１つのチャンネルＣＨｎが選択され、この選択されたチャンネルＣＨｎがＲＦパルスを印加する。
【００３８】
Ｂ１強度スキャンセグメントＣＳ２のシーケンスセットＢ１〜Ｂｎが実行された後、Ｂ０スキャンセグメントＣＳ３に移行する。
【００３９】
（３）Ｂ０スキャンセグメントＣＳ３について
図１０は、Ｂ０スキャンセグメントＣＳ３の説明図である。
Ｂ０スキャンセグメントＣＳ３は、超伝導コイル２２により発生する静磁場の位相情報を得るために実行されるスキャンである。Ｂ０スキャンセグメントＣＳ３では、２つのシーケンスセットＣ１およびＣ２が実行される。以下、シーケンスセットＣ１およびＣ２について順に説明する。
【００４０】
図１１は、シーケンスセットＣ１の説明図である。
シーケンスセットＣ１は、ｍ個のシーケンスＲ１１〜Ｒ１ｍを有している。図１１に、シーケンスＲ１１〜Ｒ１ｍの一例として、ＧＲＥ法を用いたシーケンスが示されている。シーケンスＲ１１〜Ｒ１ｍは、スライスＳＬ（図５参照）を励起し、スライスＳＬのデータを取得するためのシーケンスである。シーケンスＲ１１〜Ｒ１ｍは、位相エンコード方向に印加される勾配パルスの波形ＧＰＥが異なっている点を除いて、同じシーケンスチャートで表される。図１１では、シーケンスＲ１１〜Ｒ１ｍの位相エンコード方向ＰＥに印加される各勾配パルスが、符号「ＧＰＥＣ」で示されている。また、勾配パルスＧＰＥＣの磁場強度Ｇを、Ｇ＝Ｇ１〜Ｇｍで示してある。磁場強度Ｇ＝Ｇ１〜Ｇｍは、ｋ空間のデータがセントリックオーダーの順序で収集されるように設定されている。したがって、シーケンスＲ１１では、勾配パルスＧＰＥＣの磁場強度Ｇ＝Ｇ１は、Ｇ１＝０に設定されている（つまり、シーケンスＲ１１では、位相エンコード方向ＰＥに勾配パルスＧＰＥＣは印加されていない）。ｍは、シーケンスセットＣ１における位相エンコード方向ＰＥのステップ数を表している。各シーケンスにおけるエコー時間ＴＥは、ＴＥ＝ＴＥ１で表されている。シーケンスセットＣ１のシーケンスＲ１１〜Ｒ１ｍの各々を実行する場合、ＲＦコイル２４のｎ個のチャンネルＣＨ１〜ＣＨｎの全てがＲＦパルスを印加する。例えば、シーケンスＲ１１を実行する場合、ＲＦコイル２４のｎ個のチャンネルＣＨ１〜ＣＨｎの全てがＲＦパルスを印加する。各勾配パルスは、勾配コイル２３によって印加される。
【００４１】
シーケンスセットＣ１を実行した後、次のシーケンスセットＣ２が実行される。
【００４２】
図１２は、シーケンスセットＣ２の説明図である。
シーケンスセットＣ２は、ｍ個のシーケンスＳ１１〜Ｓ１ｍを有している。シーケンスＳ１１〜Ｓ１ｍは、ＴＥ＝ＴＥ２（＞ＴＥ１）に設定されている点を除いて、シーケンスＲ１１〜Ｒ１ｍ（図１１参照）と同じシーケンスチャートで表される。シーケンスセットＣ２のシーケンスＳ１１〜Ｓ１ｍの各々を実行する場合、ＲＦコイル２３のｎ個のチャンネルＣＨ１〜ＣＨｎの全てがＲＦパルスを印加する。例えば、シーケンスＳ１１を実行する場合、ＲＦコイル２４のｎ個のチャンネルＣＨ１〜ＣＨｎの全てがＲＦパルスを印加する。各勾配パルスは、勾配コイル２３によって印加される。
【００４３】
キャリブレーションスキャンＣＳは、上記のように構成されている。本形態では、キャリブレーションスキャンＣＳのスキャン時間ＴＳは、後述する被検体の呼吸による体動が小さい期間Ｐ１（図１８参照）の間にキャリブレーションスキャンＣＳが完了することができる時間に設定されている。スキャン時間ＴＳは、例えば、ＴＳ＝２秒に設定されている。尚、Ｂ１位相スキャンセグメントＣＳ１およびＢ１強度スキャンセグメントＣＳ２の各々のシーケンスセットの数ｎ（図６および図８参照）は、ＲＦコイル２４のチャンネル数ｎ（図２参照）に等しいので、チャンネル数ｎが多くなるほど、シーケンスセットの数ｎも多くなる。したがって、ＲＦコイル２４のチャンネル数ｎが多いほど、Ｂ１位相スキャンセグメントＣＳ１のスキャン時間ＴＳ１およびＢ１強度スキャンセグメントＣＳ２のスキャン時間ＴＳ２が長くなるので、キャリブレーションスキャンＣＳのスキャン時間ＴＳが長くなり、スキャン時間ＴＳを２秒程度に設定することが難しくなる。そこで、本形態では、キャリブレーションスキャンＣＳのスキャン時間ＴＳがＴＳ≒２秒に設定できるように、ＲＦコイル２４のチャンネル数ｎは小さい値に設定されている。本形態では、ｎ＝２、即ち、ＲＦコイル２４のチャンネル数ｎは、２チャンネルに設定されている。図１３に、チャンネル数ｎがｎ＝２の場合のＲＦコイル２４を概略的に示す。ｎ＝２の場合は、ＲＦコイル２４は、２つのチャンネルＣＨ１およびＣＨ２を有するように構成される。また、図１４に、ＲＦコイル２４のチャンネル数ｎが２チャンネルの場合のキャリブレーションスキャンＣＳを概略的に示す。ＲＦコイルのチャンネル数ｎが、ｎ＝２の場合、Ｂ１位相スキャンセグメントＣＳ１は２つのシーケンスセットＡ１およびＡ２のみを有していればよく、Ｂ１強度スキャンセグメントＣＳ２は２つのシーケンスセットＢ１およびＢ２のみを有していればよい。尚、Ｂ０スキャンセグメントＣＳ３はＲＦのチャンネル数ｎの値に関わらず、２つのシーケンスセットＣ１およびＣ２を有している。
【００４４】
また、キャリブレーションスキャンＣＳのスキャン時間ＴＳは、位相エンコード方向のステップ数ｍに依存する。位相エンコードのステップ数ｍが大きすぎると、キャリブレーションスキャンＣＳのスキャン時間ＴＳが長くなり、スキャン時間ＴＳを２秒程度に設定することが難しくなる。そこで、本形態では、キャリブレーションスキャンＣＳのスキャン時間ＴＳがＴＳ≒２秒に設定できるように、位相エンコードのステップ数ｍは小さい値に設定されている。例えば、ｍ＝８に設定することができる。
【００４５】
以下、本形態において、キャリブレーションスキャンＣＳおよび本スキャンＭＳを実行するときのフローについて、図１５を参照しながら説明する。
【００４６】
ステップＳＴ１では、呼吸信号生成手段１０１（図３参照）が、ベローズで検出された検出信号に基づいて、被検体の呼吸信号を求める。図１６に、呼吸信号生成手段１０１により求められた被検体の呼吸信号Ｓｂ１の一例を概略的に示す。図１６では、時点ｔｓ〜ｔｅの間の呼吸信号Ｓｂ１が示されている。時点ｔｓ〜ｔｅの間の時間は、例えば、１０秒程度である。呼吸信号Ｓｂ１を求めた後、ステップＳＴ２に進む。
【００４７】
ステップＳＴ２では、ウィンドウ設定手段１０２（図３参照）が、呼吸信号Ｓｂ１に基づいて、被検体の呼吸による体動が小さい信号値の範囲を表すウィンドウＷを設定する。図１７に、ウィンドウ設定手段１０２により設定されたウィンドウＷを示す。本形態では、ウィンドウ設定手段１０２は、呼吸信号の最大値ｍａｘと最小値ｍｉｎと差Δｄを求め、最大値ｍａｘを基準にして±ｋ・Δｄの範囲を、ウィンドウＷと設定する。ｋは、例えば、ｋ＝０．３である。ウィンドウＷを設定した後、ステップＳＴ３に進む。
【００４８】
ステップＳＴ３では、ベローズの検出信号に基づいてキャリブレーションスキャンＣＳを実行する。以下に、図１８を参照しながら、キャリブレーションスキャンＣＳについて説明する。
【００４９】
先ず、ベローズの検出信号に基づいて、呼吸信号Ｓｂ２の各時点における信号値を求める。判定手段１０３（図３参照）は、呼吸信号Ｓｂ２の各時点における信号値が、被検体の呼吸による体動が大きいときの信号値であるのか、それとも、被検体の呼吸による体動が小さいときの信号値であるのかを判定する。第１の形態では、判定手段１０３は、呼吸信号Ｓｂ２の信号値がウィンドウＷの外側の信号値である場合は、被検体の呼吸による体動が大きいときの信号値であると判定し、一方、呼吸信号Ｓｂ２の信号値がウィンドウＷの範囲内の信号値である場合は、被検体の呼吸による体動が小さいときの信号値であると判定する。そして、判定手段１０３は、呼吸信号Ｓｂ２の信号値が、どの時点で、ウィンドウＷの外側からウィンドウＷの範囲内に到達したかを判定する。図１８では、時点ｔ１において、呼吸信号Ｓｂ２の信号値がウィンドウＷの外側からウィンドウＷの範囲内に到達している。そこで、判定手段１０３は、時点ｔ１において、呼吸信号Ｓｂ２の信号値がウィンドウＷの外側からウィンドウＷの範囲内に到達したと判定する。呼吸信号Ｓｂ２の信号値がウィンドウＷの外側からウィンドウＷの範囲内に到達したと判定されると、制御部６（図１参照）は、キャリブレーションスキャンＣＳが実行されるように、送信器７および勾配磁場電源８を制御する。
【００５０】
送信器７は、制御部６から受け取ったデータに基づいてＲＦコイル２４に電流を供給し、勾配磁場電源８は、制御部６から受け取ったデータに基づいて勾配コイル２３に電流を供給する。したがって、ＲＦコイル２４はＲＦパルスを印加し、勾配コイル２３は勾配パルスを印加する。キャリブレーションスキャンＣＳが実行されることにより、スライスＳＬからＭＲ信号が発生する。ＭＲ信号は受信コイル装置４（図１参照）で受信される。受信コイル装置４は、ＭＲ信号を受信し、ＭＲ信号の情報を含むアナログ信号を出力する。受信器９は、受信コイル装置４から受け取った信号に対して、検波などの信号処理を行い、信号処理により得られたデータを処理装置１０に出力する。したがって、キャリブレーションスキャンＣＳを実行することにより、データを得ることができる。図１９に、キャリブレーションスキャンＣＳのシーケンスセットごとに得られたデータを概略的に示す。図１９では、シーケンスセットＡ１、Ａ２、Ｂ１、Ｂ２、Ｃ１、およびＣ２により得られたデータが、それぞれ、ＤＡ１、ＤＡ２、ＤＢ１、ＤＢ２、ＤＣ１、およびＤＣ２で示されている。
キャリブレーションスキャンＣＳを実行した後、ステップＳＴ４に進む。
【００５１】
ステップＳＴ４では、マップ生成手段１０４（図３参照）が、Ｂ１マップおよびＢ０マップを生成する（図２０参照）。
【００５２】
図２０は、Ｂ１マップおよびＢ０マップの生成方法の説明図である。
マップ生成手段１０４は、Ｂ１位相スキャンセグメントＣＳ１のシーケンスセットＡｉにより得られたデータＤＡｉと、Ｂ１強度スキャンセグメントＣＳ２のシーケンスセットＢｉにより得られたデータＤＢｉと基づいて、チャンネルＣＨｉのＢ１マップを生成する。本形態では、チャンネル数ｎは、ｎ＝２であるので、チャンネルＣＨ１のＢ１マップＭＢ１と、チャンネルＣＨ２のＢ１マップＭＢ２とを生成する。また、マップ生成手段１０４は、Ｂ０スキャンセグメントＣＳ３のシーケンスセットＣ１およびＣ２により得られたデータＤＣ１およびＤＣ２に基づいて、Ｂ０マップＭＢ０を生成する。尚、静磁場の強度情報は使用するＭＲＩ装置によって予め決まっているので（例えば、３ＴのＭＲＩ装置であれば静磁場の強度情報は３Ｔであり、７ＴのＭＲＩ装置であれば静磁場の強度情報は７Ｔである）、Ｂ０マップＭＢ０を求める場合、静磁場の強度情報を求めるためのスキャンは不要である。Ｂ１マップおよびＢ０マップを生成した後、ステップＳＴ５に進む。
【００５３】
ステップＳＴ５では、計算手段１０５（図３参照）が、Ｂ１マップＭＢ１およびＭＢ２と、Ｂ０マップＭＢ０とに基づいて、本スキャンＭＳのシーケンスで使用されるＲＦパルスの波形の特徴量を計算する。ＲＦパルスの波形の特徴量とは、例えば、ＲＦパルスの波形の帯域幅および長さである。ＲＦパルスの波形の特徴量を計算したら、ステップＳＴ６に進み、本スキャンＭＳを実行し、フローを終了する。
【００５４】
第１の形態では、呼吸信号Ｓｂ２を取得し、呼吸信号Ｓｂ２の信号値がウィンドウＷの外側からウィンドウＷの範囲内に入ったときにキャリブレーションスキャンＣＳを開始する。第１の形態では、呼吸による体動が小さい期間Ｐ１にキャリブレーションスキャンＣＳが完了するように、キャリブレーションスキャンＣＳのスキャン時間ＴＳが設定されている（ＴＳ≒２秒）。したがって、呼吸による体動が小さい期間Ｐ１に、Ｂ１マップを生成するためのデータおよびＢ０マップを生成するためのデータが得られるので、呼吸の影響が軽減されたＢ１マップおよびＢ０マップを生成することができ、高品質な画像の取得に適したＲＦパルスの波形を求めることができる。
【００５５】
尚、第１の形態では、ｎ＝２の例について説明したが、ｎ＞２であってもよい。ただし、ｎが大きい値になるほど、先に説明したように、キャリブレーションスキャンＣＳのスキャン時間ＴＳを２秒程度に設定することが難しくなる。そこで、ｎ＞２の場合は、ＲＦコイルが有するｎ個のチャンネルＣＨ１〜ＣＨ２のうちの、２つのチャンネルのみを用いてＲＦパルスを印加することが望ましい。
【００５６】
第１の形態では、キャリブレーションスキャンＳＣにおいて、セントリックオーダーの順序でデータ収集する例について説明されている。しかし、本発明は、データ収集の順序は、セントリックオーダーに限定されることはなく、他のデータ収集順序（例えば、シーケンシャルオーダー）でデータ収集してもよい。
【００５７】
（２）第２の形態
図２１は、第２の形態のＭＲＩ装置の概略図である。
第２の形態のＭＲＩ装置１００は、クレードル３に送信コイル装置１５が設置されている。第２の形態のＭＲＩ装置１００は、第１の形態のＭＲＩ装置１（図１参照）と比較すると、送信コイル装置１５を有している点が異なっているが、その他の構成は、第１の形態のＭＲＩ装置１と同じである。したがって、第２の形態の説明に当たっては、送信コイル装置１５について主に説明する。
【００５８】
図２２は、送信コイル装置１５の説明図である。
図２２の左側には、送信コイル装置１５の側面図が概略的に示されており、図２２の右側には、送信コイル装置１５のＡ−Ａ断面図が示されている。尚、図２２には、送信コイル装置１５の他に、受信コイル装置４も概略的に示されている。
【００５９】
送信コイル装置１５は、受信コイル装置４の外側に配置されている。送信コイル装置１５は、被検体の撮影部位にＲＦパルスを印加するためのｎ個のチャンネルＣＨ１〜ＣＨｎのＲＦコイルを有している。送信器７（図２１参照）は、制御部６から受け取ったデータに基づいて、送信コイル装置１５のＲＦコイルのチャンネルＣＨ１〜ＣＨｎの各々に電流を供給する。送信コイル装置１５の各チャンネルはＲＦパルスを印加する。
送信コイル装置１５は、上記のように構成されている。
【００６０】
尚、第１の形態において説明したように、ＲＦコイルのチャンネル数ｎが多いほど、キャリブレーションスキャンＣＳのスキャン時間ＴＳが長くなり、スキャン時間ＴＳを２秒程度に設定することが難しくなる。そこで、第２の形態でも、第１の形態と同様に、ＲＦコイル２４のチャンネル数ｎを小さい値（例えば、ｎ＝２）に設定することが望ましい。
【００６１】
第２の形態では、キャリブレーションスキャンＣＳおよび本スキャンＭＳを実行する場合、送信器７は、マグネット２内のＲＦコイルではなく、送信コイル装置のＲＦコイルに電流を供給する。したがって、第２の形態では、ステップＳＴ４において（図１５参照）、Ｂ０マップの他に、送信コイル装置１５のＲＦコイルの各チャンネルのＢ１マップが得られる。Ｂ１マップおよびＢ０マップを得た後、本スキャンＭＳで使用されるＲＦコイルの波形の特徴量を求め（ステップＳＴ５）、本スキャンＭＳが実行される（ステップＳＴ６）。
【００６２】
このように、本発明は、マグネット２内のＲＦコイル２４が印加するＲＦパルスの波形を求める例に限定されることはなく、撮影部位に近接して配置された送信コイル装置１５が印加するＲＦパルスの波形を求める場合にも適用することができる。
【００６３】
尚、第２の形態では、受信コイル装置４と送信コイル装置１５は、別々の装置として設けられている。しかし、受信コイル装置４と送信コイル装置１５とを一つの装置として設けてもよい。
【００６４】
（３）第３の形態
第１および第２の形態では、ＲＦコイルのチャンネル数ｎが小さい値の場合（例えば、ｎ＝２）について説明されている。しかし、近年、ＲＦコイルの多チャンネル化が進んでおり、８チャンネル、１６チャンネルのＲＦコイルの開発も進んでいる。しかし、先に説明したように、ＲＦコイルのチャンネル数ｎが大きくなると、それに伴い、シーケンスセットの数も増えるので、被検体の体動が小さい期間Ｐ１（時点ｔ１〜ｔ２）の間に、キャリブレーションスキャンＣＳを完了することが難しくなる。また、より高品質なマップを得たい場合は、位相エンコードのステップ数ｍをできるだけ大きい値にする必要があるが、ｍの値を大きくするほど、キャリブレーションスキャンＣＳのスキャン時間ＴＳが長くなるので、やはり、被検体の体動が小さい期間Ｐ１（時点ｔ１〜ｔ２）の間に、キャリブレーションスキャンＣＳを完了することができなくなる。
【００６５】
そこで、第３の形態では、チャンネル数ｎの値が大きい場合や、位相エンコードのステップ数ｍが大きい場合にも対応できるように、スキャンを実行する例について説明する。以下に、第３の形態におけるスキャンの実行方法について、図１５のフローを参照しながら説明する。尚、ステップＳＴ１およびＳＴ２は、第１の形態と同じであるので、ステップＳＴ１およびＳＴ２の説明は省略し、ステップＳＴ３から説明する。
【００６６】
ステップＳＴ３では、キャリブレーションスキャンＣＳを実行する。
図２３は、第３の形態におけるキャリブレーションスキャンＣＳの実行方法の説明図である。
キャリブレーションスキャンＣＳを実行する場合、判定手段１０３（図３参照）は、呼吸信号Ｓｂ２の信号値が、どの時点で、ウィンドウＷの外側からウィンドウＷの範囲内に到達したかを判定する。図２３では、時点ｔ１において、呼吸信号Ｓｂ２がウィンドウＷの外側からウィンドウＷの範囲内に到達している。そこで、判定手段１０３は、時点ｔ１において、呼吸信号Ｓｂ２の信号値がウィンドウＷの外側からウィンドウＷの範囲内に到達したと判定する。呼吸信号Ｓｂ２の信号値がウィンドウＷの外側からウィンドウＷの範囲内に到達したと判定されると、制御部６（図１参照）は、キャリブレーションスキャンＣＳのＢ１位相スキャンセグメントＣＳ１が実行されるように、送信器７および勾配磁場電源８を制御する。
【００６７】
送信器７は、制御部６から受け取ったデータに基づいてＲＦコイル２４（又は送信コイル装置１５（図２１参照）のＲＦコイル）に電流を供給し、勾配磁場電源８は、制御部６から受け取ったデータに基づいて勾配コイル２３に電流を供給する。したがって、ＲＦコイル２４（又は送信コイル装置１５のＲＦコイル）はＲＦパルスを印加し、勾配コイル２３は勾配パルスを印加する。Ｂ１位相スキャンセグメントＣＳ１のシーケンスセットＡ１〜Ａｎが実行されることにより、スライスＳＬからＭＲ信号が発生する。受信コイル装置４（図１および図２１参照）は、ＭＲ信号を受信し、ＭＲ信号の情報を含むアナログ信号を出力する。受信器９は、受信コイル装置４から受け取った信号に対して、検波などの信号処理を行い、信号処理により得られたデータを処理装置１０に出力する。したがって、Ｂ１位相スキャンセグメントＣＳ１のシーケンスセットＡ１〜Ａｎを実行することにより、データＤＡ１〜ＤＡｎを得ることができる。Ｂ１位相スキャンセグメントＣＳ１のシーケンスセットＡ１〜Ａｎは、呼吸による体動が小さい期間Ｐ１１の間に実行することができる。
【００６８】
Ｂ１位相スキャンセグメントＣＳ１を実行した後、判定手段１０３は、再び、呼吸信号Ｓｂ２の信号値が、どの時点でウィンドウＷの外側からウィンドウＷの範囲内に到達したかを判定する。図２３では、時点ｔ３において、呼吸信号Ｓｂ２がウィンドウＷの外側からウィンドウＷの範囲内に到達している。そこで、判定手段１０３は、時点ｔ３において、呼吸信号Ｓｂ２の信号値がウィンドウＷの外側からウィンドウＷの範囲内に到達したと判定する。呼吸信号Ｓｂ２の信号値がウィンドウＷの外側からウィンドウＷの範囲内に到達したと判定されると、制御部６（図１参照）は、キャリブレーションスキャンＣＳのＢ１強度スキャンセグメントＣＳ２が実行されるように、送信器７および勾配磁場電源８を制御する。
【００６９】
送信器７は、制御部６から受け取ったデータに基づいてＲＦコイル２４（又は送信コイル装置１５のＲＦコイル）に電流を供給し、勾配磁場電源８は、制御部６から受け取ったデータに基づいて勾配コイル２３に電流を供給する。したがって、ＲＦコイル２４（又は送信コイル装置１５のＲＦコイル）はＲＦパルスを印加し、勾配コイル２３は勾配パルスを印加する。Ｂ１強度スキャンセグメントＣＳ２のシーケンスセットＢ１〜Ｂｎが実行されることにより、スライスＳＬからＭＲ信号が発生する。受信コイル装置４は、ＭＲ信号を受信し、ＭＲ信号の情報を含むアナログ信号を出力する。受信器９は、受信コイル装置４から受け取った信号に対して、検波などの信号処理を行い、信号処理により得られたデータを処理装置１０に出力する。したがって、Ｂ１強度スキャンセグメントＣＳ２のシーケンスセットＢ１〜Ｂｎを実行することにより、データＤＢ１〜ＤＢｎを得ることができる。Ｂ１強度スキャンセグメントＣＳ２のシーケンスセットＢ１〜Ｂｎは、呼吸による体動が小さい期間Ｐ１２の間に実行することができる。
【００７０】
Ｂ１強度スキャンセグメントＣＳ２を実行した後、判定手段１０３は、再び、呼吸信号Ｓｂ２の信号値が、どの時点でウィンドウＷの外側からウィンドウＷの範囲内に到達したかを判定する。図２３では、時点ｔ５において、呼吸信号Ｓｂ２がウィンドウＷの外側からウィンドウＷの範囲内に到達している。そこで、判定手段１０３は、時点ｔ５において、呼吸信号の信号値がウィンドウＷの外側からウィンドウＷの範囲内に到達したと判定する。呼吸信号Ｓｂ２の信号値がウィンドウＷの外側からウィンドウＷの範囲内に到達したと判定されると、制御部６（図１参照）は、キャリブレーションスキャンＣＳのＢ０スキャンセグメントＣＳ３が実行されるように、送信器７および勾配磁場電源８を制御する。
【００７１】
送信器７は、制御部６から受け取ったデータに基づいてＲＦコイル２４（又は送信コイル装置１５のＲＦコイル）に電流を供給し、勾配磁場電源８は、制御部６から受け取ったデータに基づいて勾配コイル２３に電流を供給する。したがって、ＲＦコイル２４（又は送信コイル装置１５のＲＦコイル）はＲＦパルスを印加し、勾配コイル２３は勾配パルスを印加する。Ｂ０スキャンセグメントＣＳ３のシーケンスセットＣ１およびＣ２が実行されることにより、スライスＳＬからＭＲ信号が発生する。受信コイル装置４は、ＭＲ信号を受信し、ＭＲ信号の情報を含むアナログ信号を出力する。受信器９は、受信コイル装置４から受け取った信号に対して、検波などの信号処理を行い、信号処理により得られたデータを処理装置１０に出力する。したがって、Ｂ０スキャンセグメントＣＳ３の各シーケンスセットを実行することにより、データＤＣ１およびＤＣ２を得ることができる。Ｂ０スキャンセグメントＣＳ３のシーケンスセットＣ１およびＣ２は、呼吸による体動が小さい期間Ｐ１３の間に実行することができる。
キャリブレーションスキャンＣＳを実行した後、ステップＳＴ４に進む。
【００７２】
ステップＳＴ４では、マップ生成手段１０４（図３参照）が、Ｂ１マップおよびＢ０マップを生成する（図２４参照）。
【００７３】
図２４は、Ｂ１マップおよびＢ０マップの生成方法の説明図である。
マップ生成手段１０４は、Ｂ１位相スキャンセグメントＣＳ１のシーケンスセットＡｉにより得られたデータＤＡｉと、Ｂ１強度スキャンセグメントＣＳ２のシーケンスセットＢｉにより得られたデータＤＢｉと基づいて、チャンネルＣＨｉのＢ１マップＭＢｉを生成する。ここでは、ｉ＝１〜ｎであるので、チャンネルＣＨ１〜ＣＨｎのＢ１マップＭＢ１〜ＭＢｎが生成される。また、マップ生成手段１０４は、Ｂ０スキャンセグメントＣＳ３のシーケンスセットＣ１およびＣ２により得られたデータＤＣ１およびＤＣ２に基づいて、Ｂ０マップＭＢ０を生成する。Ｂ１マップおよびＢ０マップを生成した後、ステップＳＴ５に進む。
【００７４】
ステップＳＴ５では、計算手段１０５（図３参照）が、Ｂ１マップＭＢ１〜ＭＢｎと、Ｂ０マップＭＢ０とに基づいて、本スキャンＭＳのシーケンスで使用されるＲＦパルスの波形の特徴量を計算する。ＲＦパルスの波形の特徴量とは、例えば、ＲＦパルスの波形の帯域幅および長さである。ＲＦパルスの波形の特徴量を計算したら、ステップＳＴ６に進み、本スキャンＭＳを実行し、フローを終了する。
【００７５】
第３の形態では、呼吸による体動が小さい期間Ｐ１１では、Ｂ１位相スキャンセグメントＣＳ１のシーケンスセットＡ１〜Ａｎのみが実行される。また、呼吸による体動が小さい期間Ｐ１２では、Ｂ１強度スキャンセグメントＣＳ２のシーケンスセットＢ１〜Ｂｎのみが実行される。そして、呼吸による体動が小さい期間Ｐ１３では、Ｂ０スキャンセグメントＣＳ３のシーケンスセットＣ１およびＣ２のみが実行される。したがって、キャリブレーションスキャンＣＳで実行される複数のシーケンスを、呼吸による体動が小さい３つの期間Ｐ１１、Ｐ１２、およびＰ１３に分けて実行することができる。このため、ＲＦコイルのチャンネル数ｎが大きい場合や、位相エンコードのステップ数ｍが大きい場合であっても、呼吸による体動が小さい期間に、Ｂ１マップを生成するためのデータおよびＢ０マップを生成するためのデータを得ることができるので、呼吸の影響が軽減されたＢ１マップおよびＢ０マップを生成することができる。
【００７６】
（４）第４の形態
第４の形態では、第１〜第３の形態とは別の順序で各シーケンスを実行する例について説明する。
【００７７】
以下、第４の形態で実行されるキャリブレーションスキャンＣＳのＢ１位相スキャンセグメントＣＳ１、Ｂ１強度スキャンセグメントＣＳ２、およびＢ０スキャンセグメントＣＳ３について順に説明する。
【００７８】
（１）Ｂ１位相スキャンセグメントＣＳ１について
図２５は、Ｂ１位相スキャンセグメントＣＳ１の説明図である。
Ｂ１位相スキャンセグメントＣＳ１では、ｍ個のシーケンスセットＪ１〜Ｊｍが実行される。以下に、シーケンスセットＪ１〜Ｊｍについて、図２６を参照しながら説明する。
【００７９】
図２６は、シーケンスセットＪ１〜Ｊｍのうちのｉ番目のシーケンスセットＪｉ（ｉは１〜ｍの整数）の説明図である。
シーケンスセットＪｉは、ｎ個のシーケンＶ１ｉ〜Ｖｎｉを有している。図２６では、シーケンスＶ１ｉ〜Ｖｎｉの一例として、ＧＲＥ法を用いたシーケンスが示されている。シーケンスＶ１ｉ〜Ｖｎｉの各々は、スライスＳＬ（図５参照）を励起し、スライスＳＬのデータを取得するためのシーケンスである。シーケンスＶ１ｉ〜Ｖｎｉは同じシーケンスチャートで表される。図２６では、シーケンスＶ１ｉ〜Ｖｎｉの位相エンコード方向ＰＥに印加される各勾配パルスが、符号「ＧＰＥＪ」で示されている。勾配パルスＧＰＥＪの磁場強度Ｇは同じ値Ｇｉに設定されている。尚、シーケンスＶ１ｉ〜ＶｎｉのＲＦパルスは、それぞれ、ＲＦパルス２４（又は送信コイル装置１５のＲＦパルス）のチャンネルＣＨ１〜ＣＨｎにより印加される。例えば、シーケンスＶ１ｉのＲＦパルスは、チャンネルＣＨ１により印加され、シーケンスＶｎｉのＲＦパルスは、チャンネルＣＨｎにより印加される。
図２５に戻って説明を続ける。
【００８０】
Ｂ１位相スキャンセグメントＣＳ１では、上記のように構成されたシーケンスセットＪｉがｍ回実行される。
例えば、ｉ＝１、即ち、シーケンスセットＪ１では、勾配パルスＧＰＥＪの磁場強度Ｇは、Ｇ＝Ｇ１に設定されている。したがって、シーケンスセットＪ１を実行することにより、Ｇ＝Ｇ１に対応したｋ空間のデータが収集される。ｉ＝２、即ち、シーケンスセットＪ２では、勾配パルスＧＰＥＪの磁場強度Ｇは、Ｇ＝Ｇ２に設定されている。したがって、シーケンスセットＪ２を実行することにより、Ｇ＝Ｇ２に対応したｋ空間のデータが収集される。以下同様に、シーケンスセットＪ３、Ｊ４、・・・Ｊｍが順に実行される。ｉ＝ｍ、即ち、シーケンスセットＪｍでは、勾配パルスＧＰＥＪの磁場強度Ｇは、Ｇ＝Ｇｍに設定されている。したがって、シーケンスセットＪｍを実行することにより、Ｇ＝Ｇｍに対応したｋ空間のデータが収集される。
【００８１】
したがって、第４の形態におけるＢ１位相スキャンセグメントＣＳ１では、シーケンスセットごとに勾配パルスＧＰＥＪの磁場強度Ｇを変更することにより、各チャンネルの送信磁場（Ｂ１）の位相情報を取得することができる。
【００８２】
Ｂ１位相スキャンセグメントＣＳ１のシーケンスセットＪ１〜Ｊｍが実行された後、Ｂ１強度スキャンセグメントＣＳ２に移行する。
【００８３】
（２）Ｂ１強度スキャンセグメントＣＳ２について
図２７は、Ｂ１強度スキャンセグメントＣＳ２の説明図である。
Ｂ１強度スキャンセグメントＣＳ２では、ｍ個のシーケンスセットＫ１〜Ｋｍが実行される。以下に、シーケンスセットＫ１〜Ｋｍについて、図２８を参照しながら説明する。
【００８４】
図２８は、シーケンスセットＫ１〜Ｋｍのうちのｉ番目のシーケンスセットＫｉ（ｉは１〜ｍの整数）の説明図である。
シーケンスセットＫｉは、ｎ個のシーケンＷ１ｉ〜Ｗｎｉを有している。図２８では、シーケンスＷ１ｉ〜Ｗｎｉの一例として、ＧＲＥ法にＭＴパルスを利用したBloch-Siegert法のシーケンスが示されている。シーケンスＷ１ｉ〜Ｗｎｉは、スライスＳＬ（図５参照）を励起し、スライスＳＬのデータを取得するためのシーケンスである。シーケンスＷ１ｉ〜Ｗｎｉは同じシーケンスチャートで表される。図２８では、シーケンスＷ１ｉ〜Ｗｎｉの位相エンコード方向ＰＥに印加される各勾配パルスが、符号「ＧＰＥＫ」で示されている。勾配パルスＧＰＥＫの磁場強度Ｇは同じ値Ｇｉに設定されている。尚、シーケンスＷ１ｉ〜ＷｎｉのＲＦパルスは、それぞれ、ＲＦパルス２４（又は送信コイル装置１５のＲＦパルス）のチャンネルＣＨ１〜ＣＨｎにより印加される。例えば、シーケンスＷ１ｉのＲＦパルスは、チャンネルＣＨ１により印加され、シーケンスＷｎｉのＲＦパルスは、チャンネルＣＨｎにより印加される。
図２７に戻って説明を続ける。
【００８５】
Ｂ１強度スキャンセグメントＣＳ２では、上記のように構成されたシーケンスセットＫｉがｍ回実行される。
例えば、ｉ＝１、即ち、シーケンスセットＫ１では、勾配パルスＧＰＥＫの磁場強度ＧはＧ＝Ｇ１に設定されている。したがって、シーケンスセットＫ１を実行することにより、Ｇ＝Ｇ１に対応したｋ空間のデータが収集される。ｉ＝２、即ち、シーケンスセットＫ２では、勾配パルスＧＰＥＫの磁場強度ＧはＧ＝Ｇ２に設定されている。したがって、シーケンスセットＫ２を実行することにより、Ｇ＝Ｇ２に対応したｋ空間のデータが収集される。以下同様に、シーケンスセットＫ３、・・・Ｋｍが順に実行される。ｉ＝ｍ、即ち、シーケンスセットＫｍでは、勾配パルスＧＰＥＫの磁場強度ＧはＧ＝Ｇｍに設定されている。したがって、シーケンスセットＫｍを実行することにより、Ｇ＝Ｇｍに対応したｋ空間のデータが収集される。
【００８６】
したがって、第４の形態におけるＢ１強度スキャンセグメントＣＳ２では、シーケンスセットごとに勾配パルスＧＰＥＫの磁場強度Ｇを変更することにより、各チャンネルの送信磁場（Ｂ１）の強度情報を取得することができる。
【００８７】
Ｂ１強度スキャンセグメントＣＳ２のシーケンスセットＫ１〜Ｋｍが実行された後、Ｂ０スキャンセグメントＣＳ３に移行する。
【００８８】
（３）Ｂ０スキャンセグメントＣＳ３について
図２９は、Ｂ０スキャンセグメントＣＳ３の説明図である。
Ｂ０スキャンセグメントＣＳ３では、ｍ個のシーケンスセットＬ１〜Ｌｍが実行される。以下に、シーケンスセットＬ１〜Ｌｍについて、図３０を参照しながら説明する。
【００８９】
図３０は、シーケンスセットＬ１〜Ｌｍのうちのｉ番目のシーケンスセットＬｉ（ｉは１〜ｍの整数）の説明図である。
シーケンスセットＬｉは、２個のシーケンスＸ１およびＸ２を有している。図３０では、シーケンスＸ１およびＸ２の一例として、ＧＲＥ法を用いたシーケンスが示されている。シーケンスＸ１およびＸ２は、スライスＳＬ（図５参照）を励起し、スライスＳＬのデータを取得するためのシーケンスである。シーケンスＸ１はエコー時間ＴＥがＴＥ＝ＴＥ１に設定されているが、シーケンスＸ２はエコー時間ＴＥがＴＥ＝ＴＥ２（＞ＴＥ１）に設定されている。図３０では、シーケンスＸ１およびＸ２の位相エンコード方向ＰＥに印加される各勾配パルスが、符号「ＧＰＥＬ」で示されている。勾配パルスＧＰＥＬの磁場強度Ｇは同じ値Ｇｉに設定されている。シーケンスＸ１を実行する場合、ＲＦコイル２４（又は送信コイル装置１５のＲＦパルス）のチャンネルＣＨ１〜ＣＨｎの各々がＲＦパルスを印加し、勾配コイル２３が勾配パルスを印加する。また、シーケンスＸ２を実行する場合も、ＲＦコイル２４（又は送信コイル装置１５のＲＦパルス）のチャンネルＣＨ１〜ＣＨｎの各々がＲＦパルスを印加し、勾配コイル２３が勾配パルスを印加する。
図２９に戻って説明を続ける。
【００９０】
Ｂ０スキャンセグメントＣＳ３では、上記のように構成されたシーケンスセットＬｉがｍ回実行される。
例えば、ｉ＝１、即ち、シーケンスセットＬ１では、勾配パルスＧＰＥＬの磁場強度Ｇは、Ｇ＝Ｇ１に設定されている。したがって、シーケンスセットＬ１を実行することにより、Ｇ＝Ｇ１に対応したｋ空間のデータが収集される。ｉ＝２、即ち、シーケンスセットＬ２では、勾配パルスＧＰＥＬの磁場強度Ｇは、Ｇ＝Ｇ２に設定されている。したがって、シーケンスセットＬ２を実行することにより、Ｇ＝Ｇ２に対応したｋ空間のデータが収集される。以下同様に、シーケンスセットＬ３、・・・Ｌｍが順に実行される。ｉ＝ｍ、即ち、シーケンスセットＬｍでは、勾配パルスＧＰＥＬの磁場強度Ｇは、Ｇ＝Ｇｍに設定されている。したがって、シーケンスセットＬｍを実行することにより、Ｇ＝Ｇｍに対応したｋ空間のデータが収集される。
【００９１】
したがって、第４の形態におけるＢ０スキャンセグメントＣＳ３では、シーケンスセットごとに勾配パルスＧＰＥＬの磁場強度Ｇを変更することにより、静磁場（Ｂ０）の位相情報を取得することができる。
【００９２】
第４の形態では、Ｂ１位相スキャンセグメントＣＳ１、Ｂ１強度スキャンセグメントＣＳ２、およびＢ０スキャンセグメントＣＳ３は、上記のように構成されている。第４の形態でも、図１５に示すフローに従ってキャリブレーションスキャンＣＳおよび本スキャンＭＳが実行される。キャリブレーションスキャンＣＳは第１の形態の呼吸同期法（図２０参照）を用いて実行してもよいし、第３の形態の呼吸同期法（図２４参照）を用いて実行してもよい。
【００９３】
第４の形態では、Ｂ１位相スキャンセグメントＣＳ１において１つのシーケンスセットＪｉを実行する場合、ＲＦパルスを印加するために使用されるチャンネルは、チャンネルＣＨ１、ＣＨ２、ＣＨ３、・・・ＣＨｎの順で変更される（図２６参照）。したがって、Ｂ１位相スキャンセグメントＣＳ１では、各チャンネルでＲＦパルスを印加するタイミングを、複数のシーケンスセットＪ１〜Ｊｍに分散させることができる。また、Ｂ１強度スキャンセグメントＣＳ２において１つのシーケンスセットＫｉを実行する場合、ＲＦパルスを印加するために使用されるチャンネルは、チャンネルＣＨ１、ＣＨ２、ＣＨ３、・・・ＣＨｎの順で変更される（図２８参照）。したがって、Ｂ１強度スキャンセグメントＣＳ２では、各チャンネルでＲＦパルスを印加するタイミングを、複数のシーケンスセットＫ１〜Ｋｍに分散させることができる。このため、第４の形態では、Ｂ１位相スキャンセグメントＣＳ１およびＢ１強度スキャンセグメントＣＳ２において、各チャンネルでＲＦパルスを印加するタイミングを、複数のシーケンスセットに分散させることができる。これにより、Ｂ１位相スキャンセグメントＣＳ１およびＢ１強度スキャンセグメントＣＳ２においてデータ収集を行う場合、呼吸による磁場の変動が原因で生じる計測誤差を軽減することができるので、高品質なＢ１マップを得ることができる。
【００９４】
また、第４の形態では、Ｂ０スキャンセグメントＣＳ３において１つのシーケンスセットＬｉは、ＴＥ＝ＴＥ１のシーケンスＸ１と、ＴＥ＝ＴＥ２のシーケンスＸ２とを含んでいる（図３０参照）。したがって、第３の形態では、Ｂ０スキャンセグメントＣＳ３において、ＴＥ＝ＴＥ１のシーケンスと、ＴＥ＝ＴＥ２のシーケンスとが交互に実行されるので、ＴＥ＝ＴＥ１のシーケンスと、ＴＥ＝ＴＥ２のシーケンスを、複数のシーケンスセットに分散させて実行することができる。これにより、Ｂ０スキャンセグメントＣＳ３においてデータ収集を行う場合、呼吸による磁場の変動が原因で生じる計測誤差を軽減することができるので、高品質なＢ０マップを得ることができる。
【００９５】
（５）第５の形態
第１〜第４の形態では、ベローズを用いて被検体の呼吸信号を得る例について説明されている。しかし、ベローズを用いて被検体の呼吸信号を得る代わりに、被検体の呼吸情報を取得するためのナビゲータシーケンスを実行し、ナビゲータシーケンスにより得られたデータに基づいて、被検体の呼吸信号を生成してもよい。
【００９６】
図３１は、ナビゲータシーケンスを用いる場合のフローを示す図である。
ステップＳＴ０では、ナビゲータシーケンスで励起を行うための領域（以下「ナビゲータ領域」と呼ぶ）を設定する。図３２に、ナビゲータ領域ＲＮを概略的に示す。ナビゲータ領域ＲＮは肝臓と肺とを含むように設定される。ナビゲータ領域ＲＮを設定した後、ステップＳＴ１に進む。
【００９７】
ステップＳＴ１では、被検体の呼吸信号を求める。
図３３は、呼吸信号を求めるときの説明図である。
先ず、制御部６は、ナビゲータシーケンスＮが実行されるように、送信器７および勾配磁場電源８を制御する。
【００９８】
送信器７は、制御部６から受け取ったデータに基づいてＲＦコイル２４（又は送信コイル装置１５のＲＦコイル）に電流を供給し、勾配磁場電源８は、制御部６から受け取ったデータに基づいて勾配コイル２３に電流を供給する。したがって、ＲＦコイル２４（又は送信コイル装置１５のＲＦコイル）はＲＦパルスを印加し、勾配コイル２３は勾配パルスを印加する。ナビゲータシーケンスＮが実行されることにより、ナビゲータ領域ＲＮからＭＲ信号が発生する。受信コイル装置４は、ＭＲ信号を受信し、ＭＲ信号の情報を含むアナログ信号を出力する。受信器９は、受信コイル装置４から受け取った信号に対して、検波などの信号処理を行い、信号処理により得られたデータを処理装置１０に出力する。呼吸信号生成手段１０１（図３参照）は、ナビゲータシーケンスＮを実行することにより得られたデータに基づいて、呼吸信号Ｓｂ１を生成する。呼吸信号Ｓｂ１を求めた後、ステップＳＴ２に進む。
【００９９】
ステップＳＴ２では、ウィンドウ設定手段１０２が、呼吸信号Ｓｂ１に基づいて、被検体の呼吸による体動が小さい信号値の範囲を表すウィンドウＷを設定する。図３４に、ウィンドウ設定手段１０２（図３参照）により設定されたウィンドウＷを示す。ウィンドウＷを設定した後、ステップＳＴ３に進む。
【０１００】
ステップＳＴ３では、キャリブレーションスキャンが実行される。
図３５は、キャリブレーションスキャンＣＳの説明図である。
先ず、ナビゲータシーケンスＮが繰り返し実行される。呼吸信号生成手段１０１は、ナビゲータシーケンスＮにより得られたデータに基づいて、被検体の呼吸信号Ｓｂ２の信号値を求める。そして、判定手段１０３（図３参照）は、呼吸信号Ｓｂ２の信号値が、どの時点でウィンドウＷの外側からウィンドウＷの範囲内に到達したかを判定する。図３５では、時点ｔ１において、呼吸信号Ｓｂ２の信号値が、ウィンドウＷの外側からウィンドウＷの範囲内に到達したと判定される。そして、時点ｔ１の直後に、Ｂ１位相スキャンセグメントＣＳ１、Ｂ１強度スキャンセグメントＣＳ２、およびＢ０スキャンセグメントＣＳ３が順に実行される。したがって、呼吸による体動が小さい期間Ｐ１に、セグメントＣＳ１、ＣＳ２、およびＣＳ３を実行することができる。
【０１０１】
キャリブレーションスキャンＣＳが終了したら、Ｂ１マップおよびＢ０マップを生成し（ステップＳＴ４）、本スキャンで使用されるＲＦパルスの波形の特徴量を求め（ステップＳＴ５）、本スキャンを実行する（ステップＳＴ６）。
【０１０２】
尚、チャンネル数ｎや位相エンコードのステップ数ｍによっては、１つの期間で、３つのセグメント（Ｂ１位相スキャンセグメントＣＳ１、Ｂ１強度スキャンセグメントＣＳ２、およびＢ０スキャンセグメントＣＳ３）を完了できないこともある。この場合は、図３６に示すように、３つのセグメントＣＳ１、ＣＳ２、およびＣＳ３を、被検体の呼吸による体動が小さい３つの期間Ｐ１１、Ｐ１２、およびＰ１３に分けて、キャリブレーションスキャンＣＳを実行すればよい。
【０１０３】
図３６では、ナビゲータシーケンスＮが繰り返し実行され、呼吸信号Ｓｂ２の信号値がウィンドウＷの外側からウィンドウＷの範囲に入ったと判定されたら、Ｂ１位相スキャンセグメントＣＳ１のシーケンスセットを実行する。Ｂ１位相スキャンセグメントＣＳ１が完了したら、再びナビゲータシーケンスＮを繰り返し実行し、呼吸信号Ｓｂ２の信号値がウィンドウＷの外側からウィンドウＷの範囲に入ったと判定したら、Ｂ１強度スキャンセグメントＣＳ２のシーケンスセットを実行する。Ｂ１強度スキャンセグメントＣＳ２が完了したら、再びナビゲータシーケンスＮを繰り返し実行し、呼吸信号Ｓｂ２の信号値がウィンドウＷの外側からウィンドウＷの範囲に入ったと判定したら、Ｂ０スキャンセグメントＣＳ３のシーケンスセットを実行する。
【０１０４】
このように、ベローズを使わずに、ナビゲータシーケンスＮを用いて呼吸信号を生成してもよい。
【０１０５】
第１〜第５の形態では、キャリブレーションスキャンＣＳは、Ｂ１位相スキャンセグメントＣＳ１およびＢ１強度スキャンセグメントＣＳ２の他に、Ｂ０スキャンセグメントＣＳ３を有している。しかし、ＭＲＩ装置のＢ０不均一が小さいのであれば、Ｂ０スキャンセグメントＣＳ３は実行しなくてもよい。
【０１０６】
第１〜第５の形態では、呼吸による体動の時間変化を表す呼吸信号に基づいて、キャリブレーションスキャンＣＳを実行している。しかし、本発明は、呼吸信号以外の、被検体の体動の時間変化を表す体動信号（例えば、心拍信号）に基づいてキャリブレーションスキャンＣＳを実行する場合にも適用することができる。
【符号の説明】
【０１０７】
１  ＭＲＩ装置
２  マグネット
３  テーブル
３ａ  クレードル
４  受信コイル装置
５  ベローズ
６  制御部
７  送信器
８  勾配磁場電源
９  受信器
１０  処理装置
１１  記憶部
１２  操作部
１３  表示部
１４  被検体
１５  送信コイル装置
２１  収容空間
２２  超伝導コイル
２３  勾配コイル
２４  ＲＦコイル
１０１  呼吸信号生成手段
１０２  ウィンドウ設定手段
１０３  判定手段
１０４  マップ生成手段
１０５  計算手段
【図１】
0006742757.tif 000002
【図２】
0006742757.tif 000003
【図３】
0006742757.tif 000004
【図４】
0006742757.tif 000005
【図５】
0006742757.tif 000006
【図６】
0006742757.tif 000007
【図７】
0006742757.tif 000008
【図８】
0006742757.tif 000009
【図９】
0006742757.tif 000010
【図１０】
0006742757.tif 000011
【図１１】
0006742757.tif 000012
【図１２】
0006742757.tif 000013
【図１３】
0006742757.tif 000014
【図１４】
0006742757.tif 000015
【図１５】
0006742757.tif 000016
【図１６】
0006742757.tif 000017
【図１７】
0006742757.tif 000018
【図１８】
0006742757.tif 000019
【図１９】
0006742757.tif 000020
【図２０】
0006742757.tif 000021
【図２１】
0006742757.tif 000022
【図２２】
0006742757.tif 000023
【図２３】
0006742757.tif 000024
【図２４】
0006742757.tif 000025
【図２５】
0006742757.tif 000026
【図２６】
0006742757.tif 000027
【図２７】
0006742757.tif 000028
【図２８】
0006742757.tif 000029
【図２９】
0006742757.tif 000030
【図３０】
0006742757.tif 000031
【図３１】
0006742757.tif 000032
【図３２】
0006742757.tif 000033
【図３３】
0006742757.tif 000034
【図３４】
0006742757.tif 000035
【図３５】
0006742757.tif 000036
【図３６】
0006742757.tif 000037